(57)【特許請求の範囲】
【請求項１】
翼を有する羽根車と、
前記羽根車を収容する羽根車ケーシングとを備え、
前記羽根車ケーシングは、ボリュート室と、前記ボリュート室に連通する吸込口および吐出口と、前記ボリュート室の巻き始め部を構成する舌部とを備え、
前記翼は、外端を有し、かつ前記羽根車が固定された回転軸の端部が挿入されたハブから螺旋状に延びる前縁部と、前記前縁部から螺旋状に延びる後縁部とを有しており、
前記羽根車ケーシングの内面には、前記吸込口から前記ボリュート室まで延び、かつ前記後縁部に対向する位置に配置された溝が形成されており、
前記羽根車の軸方向から見て前記翼の終端が前記溝を横切る交点は、前記羽根車の中心点に関して前記舌部の反対側に位置しており、
前記前縁部は、前記羽根車が回転したときに、前記外端が前記溝の入口を横切って移動する位置に配置されており、
前記前縁部は、
前記前縁部の最も前側の面であり、かつ前記外端まで、一定の曲率半径で形成された前側曲面と、
前記前縁部の最も後側の面であり、かつ前記外端まで、一定の曲率半径で形成された後側曲面と、を有しており、
前記前縁部は、前記ハブからの距離に従って徐々に減少する厚さを有しており、
前記翼は、前記ハブから前記羽根車の回転方向と逆方向に延びる螺旋形状を有していることを特徴とする渦巻ポンプ。
【請求項２】
前記羽根車の中心点と前記舌部とを結ぶ基準線と、前記羽根車の中心点と前記交点とを結ぶ線分とのなす角度は、９０度から２７０度の範囲内であることを特徴とする請求項１に記載の渦巻ポンプ。
【請求項３】
前記基準線と、前記線分とのなす角度は、１３５度から２２５度の範囲内であることを特徴とする請求項２に記載の渦巻ポンプ。
【請求項４】
前記交点は前記基準線の延長線上に位置していることを特徴とする請求項３に記載の渦巻ポンプ。
【請求項５】
前記外端は、前記溝の入口に対向するように配置されていることを特徴とする請求項１乃至４のいずれか一項に記載の渦巻ポンプ。
【発明の詳細な説明】
【技術分野】
【０００１】
本発明は渦巻ポンプに関し、特に繊維状物質を含む液体を移送する渦巻ポンプに関する。
【背景技術】
【０００２】
従来から、下水管を流れる汚水などの液体を移送するために、渦巻ポンプが用いられている。このような汚水には、紐または布などの繊維状物質が含まれていることがある。この繊維状物質が羽根車の翼に堆積すると、ポンプを閉塞するおそれがある。そこで、繊維状物質の羽根車への堆積を防ぐために、後退翼を有する羽根車を備えた渦巻ポンプがある（特許文献１参照）。
【０００３】
図２２は後退翼を有する羽根車を備えた渦巻ポンプを示す断面図である。図２２に示すように、羽根車１００は複数の後退翼１０１を備えている。羽根車１００は回転軸１０２に固定されており、羽根車ケーシング１０５内に収容されている。羽根車１００は図示しない駆動装置（モータ等）によって回転軸１０２と一体に図２２に示す実線矢印方向に回転する。液体は、羽根車１００の回転により羽根車ケーシング１０５内に形成されたボリュート室１１３に周方向に吐出される。ボリュート室１１３を流れる液体は吐出口１０７を通って外部に排出される。
【０００４】
後退翼１０１は、螺旋状に延びる前縁部１０１ａと、前縁部１０１ａから螺旋状に延びる後縁部１０１ｂとを有する。後退翼１０１は、前縁部１０１ａがその基端から羽根車１００の回転方向と逆方向に延びる螺旋形状を有している。このような形状により、繊維状物質１０９は前縁部１０１ａに引っかかりづらくなる。
【０００５】
羽根車ケーシング１０５にはボリュート室１１３の巻き始め部を構成する舌部１１０が設けられている。ボリュート室１１３を流れる液体は舌部１１０で分流され、液体の大部分は羽根車ケーシング１０５の吐出口１０７に流れ、液体の一部はボリュート室１１３内を循環する（図２２に示す点線矢印参照）。
【０００６】
図２３は羽根車１００を収容する羽根車ケーシング１０５を吸込口１０６側から見た図であり、図２４は、羽根車ケーシング１０５の内面を駆動装置側から見た図である。図２４では羽根車１００の図示は省略されている。図２３および図２４に示すように、羽根車ケーシング１０５の内面には吸込口１０６からボリュート室１１３まで螺旋状に延びる溝１０８が形成されている。この溝１０８は、液体に含まれる繊維状物質を、回転する羽根車１００によって吸込口１０６からボリュート室１１３に移動させるために設けられている。
【先行技術文献】
【特許文献】
【０００７】
【特許文献１】実開昭６４−１１３９０号公報
【０００８】
図２５乃至図２９は、繊維状物質１０９が溝１０８を通じてボリュート室１１３に移送される様子を示す図である。図２５乃至図２９において、溝１０８は二点鎖線で表示されている。図２５に示すように、液体に含まれる繊維状物質１０９は、回転する羽根車１００の前縁部１０１ａによって溝１０８の入口に運ばれ、溝１０８内に押し込まれる。繊維状物質１０９は、溝１０８と羽根車１００の後縁部１０１ｂとの間に挟まれた状態で、回転する羽根車１００の後縁部１０１ｂにより押されて溝１０８に沿って移動する（図２６乃至図２８参照）。そして、図２９に示すように、繊維状物質１０９はボリュート室１１３に放出される。
【０００９】
しかしながら、ボリュート室１１３に放出された繊維状物質１０９は、突出した形状を有した舌部１１０に引っかかることがある。図３０は舌部１１０に引っかかった繊維状物質１０９を示す図である。図３０に示すように、繊維状物質１０９の引っかかりが継続して発生すると、舌部１１０上に堆積した繊維状物質１０９が羽根車１００に接触し、羽根車１００の回転を妨げるおそれがある。
【発明の概要】
【発明が解決しようとする課題】
【００１０】
本発明は、上述の事情に鑑みてなされたもので、液体に含まれる繊維状物質の羽根車ケーシングの舌部への堆積を防止することができる渦巻ポンプを提供することを目的とする。
【課題を解決するための手段】
【００１１】
上述した目的を達成するために、本発明の一態様は、翼を有する羽根車と、前記羽根車を収容する羽根車ケーシングとを備え、前記羽根車ケーシングは、ボリュート室と、前記ボリュート室に連通する吸込口および吐出口と、前記ボリュート室の巻き始め部を構成する舌部とを備え、前記翼は、外端を有し、かつ前記羽根車が固定された回転軸の端部が挿入されたハブから螺旋状に延びる前縁部と、前記前縁部から螺旋状に延びる後縁部とを有しており、前記羽根車ケーシングの内面には、前記吸込口から前記ボリュート室まで延び、かつ前記後縁部に対向する位置に配置された溝が形成されており、前記羽根車の軸方向から見て前記翼の終端が前記溝を横切る交点は、前記羽根車の中心点に関して前記舌部の反対側に位置しており、前記前縁部は、前記羽根車が回転したときに、前記外端が前記溝の入口を横切って移動する位置に配置されており、前記前縁部は、前記前縁部の最も前側の面であり、かつ前記外端まで、一定の曲率半径で形成された前側曲面と、前記前縁部の最も後側の面であり、かつ前記外端まで、一定の曲率半径で形成された後側曲面と、を有しており、前記前縁部は、前記ハブからの距離に従って徐々に減少する厚さを有しており、前記翼は、前記ハブから前記羽根車の回転方向と逆方向に延びる螺旋形状を有していることを特徴とする渦巻ポンプである。
【００１２】
本発明の好ましい態様は、前記羽根車の中心点と前記舌部とを結ぶ基準線と、前記羽根車の中心点と前記交点とを結ぶ線分とのなす角度は、９０度から２７０度の範囲内であることを特徴とする。
本発明の好ましい態様は、前記基準線と、前記線分とのなす角度は、１３５度から２２５度の範囲内であることを特徴とする。
本発明の好ましい態様は、前記交点は前記基準線の延長線上に位置していることを特徴とする。
本発明の好ましい態様は、前記外端は、前記溝の入口に対向するように配置されていることを特徴とする。
【発明の効果】
【００１３】
本発明によれば、繊維状物質は、舌部とは反対側の位置でボリュート室に放出される。その後、繊維状物質は、遠心力を受けながら流れる液体によってボリュート室内を運ばれる。つまり、繊維状物質は、舌部から離れる方向に作用する遠心力を受けながらボリュート室内を移送される。したがって、繊維状物質が舌部に引っかかることが防止される。
【図面の簡単な説明】
【００１４】
【図１】本発明の一実施形態に係る渦巻ポンプの概略断面図である。
【図２】図１のＡ−Ａ線断面図である。
【図３】図１のＢ線矢視図である。
【図４】羽根車ケーシングの内面をモータ側から見た図である。
【図５】繊維状物質が溝を通じてボリュート室に移送される様子を示す図である。
【図６】繊維状物質が溝を通じてボリュート室に移送される様子を示す図である。
【図７】繊維状物質が溝を通じてボリュート室に移送される様子を示す図である。
【図８】繊維状物質が溝を通じてボリュート室に移送される様子を示す図である。
【図９】繊維状物質が溝を通じてボリュート室に移送される様子を示す図である。
【図１０】ボリュート室内を流れる液体によって運ばれる繊維状物質を示す図である。
【図１１】舌部と溝との位置関係を示す図である。
【図１２】舌部と溝との位置関係の他の例を示す図である。
【図１３】舌部と溝との位置関係のさらに他の例を示す図である。
【図１４】図１に示した渦巻ポンプの羽根車の斜視図である。
【図１５】図１に示した渦巻ポンプのケーシングライナの断面図である。
【図１６】図１４に示した後退翼の前縁部のＣ−Ｃ線断面図である。
【図１７】図１４に示した後退翼の前縁部のＤ−Ｄ線断面図である。
【図１８】図１４に示した後退翼の前縁部のＥ−Ｅ線断面図である。
【図１９】図１９（ａ）は、後退翼の前縁部に繊維状物質が載った状態を示す模式図であり、図１９（ｂ）は、後退翼の回転に伴って、繊維状物質が前縁部の外端に向かって円滑に移動する様子を示す模式図であり、図１９（ｃ）は、後退翼の回転に伴って、繊維状物質が前縁部の外端に到達した様子を示す模式図である。
【図２０】前縁部の外端まで導かれた繊維状物質が前縁部の前側曲面によってケーシングライナの内面に形成された溝に押し込まれる状態を示す模式図である。
【図２１】前縁部の厚さに対する前側曲面の曲率半径の比と、前縁部の厚さに対する後側曲面の曲率半径の比が１／２であり、前側曲面が後側曲面に接続されている前縁部の断面図である。
【図２２】後退翼を有する羽根車を備えた渦巻ポンプを示す断面図である。
【図２３】羽根車を収容する羽根車ケーシングを吸込口側から見た図である。
【図２４】羽根車ケーシングの内面を駆動装置側から見た図である。
【図２５】繊維状物質が溝を通じてボリュート室に移送される様子を示す図である。
【図２６】繊維状物質が溝を通じてボリュート室に移送される様子を示す図である。
【図２７】繊維状物質が溝を通じてボリュート室に移送される様子を示す図である。
【図２８】繊維状物質が溝を通じてボリュート室に移送される様子を示す図である。
【図２９】繊維状物質が溝を通じてボリュート室に移送される様子を示す図である。
【図３０】舌部に引っかかった繊維状物質を示す図である。
【発明を実施するための形態】
【００１５】
以下、本発明の実施形態について図面を参照して説明する。図１乃至図２１において、同一または相当する構成要素には、同一の符号を付して重複した説明を省略する。
図１は本発明の一実施形態に係る渦巻ポンプの概略断面図である。図１に示される渦巻ポンプは、例えば、下水管を流れる汚水などの液体を移送するために用いられる。図１に示すように、渦巻ポンプは、回転軸１１の端部に固定された羽根車１と、羽根車１を収容する羽根車ケーシング５とを有する。回転軸１１は、モータ２０によって回転され、羽根車１は羽根車ケーシング５内で回転軸１１と一体に回転する。モータ２０と羽根車１との間には、メカニカルシール２１が配置されている。このメカニカルシール２１により、液体がモータ２０に浸入することが防止される。
【００１６】
羽根車ケーシング５は、羽根車１の周囲に配置されたケーシング本体６と、ケーシング本体６に接続されたケーシングライナ８とを有している。ケーシングライナ８には、円筒状の吸込口３が形成されている。ケーシング本体６の内部には、ボリュート室（渦室）７が形成され、ボリュート室７は、羽根車１の周囲を囲む形状を有している。ケーシング本体６には、吐出口４が形成される。
【００１７】
羽根車１を回転させると、液体は吸込口３から吸い込まれる。液体には羽根車１の回転により速度エネルギーが付与され、さらに、液体がボリュート室７を通ることによって速度エネルギーが圧力エネルギーに変換され、液体が昇圧される。昇圧された液体は、吐出口４から吐出される。羽根車１の翼（後退翼）２は、羽根車ケーシング５のケーシングライナ８の内面８ａと僅かな隙間をあけて対向している。
【００１８】
図２は図１のＡ−Ａ線断面図である。図２に示すように、羽根車１は複数（本実施形態では２枚）の後退翼２と、円筒状のハブ１３とを備えている。羽根車１は、回転軸１１に固定されており、モータ（駆動装置）２０によって回転軸１１と一体に実線矢印方向に回転する。回転軸１１の端部はハブ１３に挿入され、羽根車１は締結具（図示しない）によって回転軸１１の端部に固定される。
【００１９】
後退翼２は、ハブ１３から螺旋状に延びる前縁部２ａと、前縁部２ａから螺旋状に延びる後縁部２ｂとを有している。後退翼２は、ハブ１３から羽根車１の回転方向と逆方向に延びる螺旋形状を有している。
【００２０】
図２に示すように、羽根車ケーシング５にはボリュート室７の巻き始め部を構成する舌部１０が設けられている。ボリュート室７は、羽根車１の周方向に沿って延びつつ、断面積が徐々に拡大する形状を有している。ボリュート室７を流れる液体は舌部１０で分流され、液体の大部分は吐出口４に流れる一方で、液体の一部はボリュート室７内を循環する（図２に示す点線矢印参照）。
【００２１】
図３は図１のＢ線矢視図である。図３に示すように、羽根車ケーシング５には、吸込口３および吐出口４が形成されている。吸込口３および吐出口４はボリュート室７に連通している。吸込口３はケーシングライナ８に形成されており、吐出口４はケーシング本体６に形成されている。吸込口３から流入した液体は羽根車１の回転によりボリュート室７に周方向に吐出される。ボリュート室７を流れる液体は吐出口４を通って外部に排出される。
【００２２】
図４は羽根車ケーシング５の内面をモータ２０側から見た図である。図４では羽根車１の図示は省略されている。図４に示すように、羽根車ケーシング５の内面、より具体的にはケーシングライナ８の内面８ａには、吸込口３からボリュート室７まで螺旋状に延びる溝１８が形成されている。この溝１８は、液体に含まれる繊維状物質を、回転する羽根車１によって吸込口３からボリュート室７に移動させるために設けられている。溝１８は、後退翼２の後縁部２ｂに対向する位置に配置されている。
【００２３】
図５乃至図９は、繊維状物質９が溝１８を通じてボリュート室７に移送される様子を示す図である。図５乃至図９において、溝１８は二点鎖線で表示されている。図５に示すように、液体に含まれる繊維状物質９は、回転する羽根車１の前縁部２ａによって溝１８の入口に運ばれ、前縁部２ａによって溝１８内に押し込まれる。繊維状物質９は、溝１８と羽根車１の後縁部２ｂとの間に挟まれた状態で、回転する羽根車１の後縁部２ｂにより押されて溝１８に沿って移動する（図６乃至図８参照）。そして、図９に示すように、繊維状物質９は、羽根車１の軸方向から見て後退翼２の終端が溝１８を横切る交点Ｂにおいて、溝１８からボリュート室７に放出される。後退翼２の終端は、後縁部２ｂの外側端部である。
【００２４】
図１０はボリュート室７内を流れる液体によって運ばれる繊維状物質９を示す図である。図１０に示すように、交点Ｂは、羽根車１の中心点に関して舌部１０の反対側に位置している。交点Ｂでボリュート室７に放出された繊維状物質９は、半径方向外側の方向に作用する遠心力を受けながら流れる液体によってボリュート室７内を運ばれる。つまり、繊維状物質９は、舌部１０から離れる方向に作用する遠心力を受けながらボリュート室７内を移送される。したがって、繊維状物質９は、舌部１０に引っかかることなく、吐出口４を通って外部に排出される。
【００２５】
図１１は舌部１０と交点Ｂとの位置関係を示す図である。図１１において、基準線ＲＬは、羽根車１の中心点Ｐと舌部１０（より具体的には舌部１０の先端）とを結ぶ線分であり、角度線ＡＬは、羽根車１の中心点Ｐと交点Ｂとを結ぶ線分である。角度θは基準線ＲＬと角度線ＡＬとのなす角度を表している。本実施形態では、交点Ｂは基準線ＲＬの延長線上に位置しており、角度θは１８０度である。つまり、本実施形態の交点Ｂは舌部１０から最も離れた位置にある。
【００２６】
交点Ｂを基準線ＲＬの延長線上に位置させることにより、繊維状物質９は舌部１０から最も離れた位置でボリュート室７に放出される。したがって、繊維状物質９が羽根車ケーシング５内に流入しても、繊維状物質９は舌部１０に引っかかることなく、吐出口４を通って外部に排出される。ただし、繊維状物質９の長さによっては、角度θは１８０度でなくてもよい。例えば、比較的短い繊維状物質が羽根車ケーシング５内に流入した場合、繊維状物質は図１１に示す位置Ｂよりも舌部１０に近い位置でボリュート室７に放出されても、舌部１０に引っかかることなく、吐出口４を通って外部に排出される。
【００２７】
図１２および図１３は、溝１８の他の配置例を示す図である。図１２に示す例では、角度θは１８０度よりも小さく、図１３に示す例では、角度θは１８０度よりも大きい。いずれの例でも、交点Ｂは、羽根車１の中心点に関して舌部１０の反対側に位置している。
【００２８】
角度線ＡＬと基準線ＲＬとのなす角度θは、好ましくは、９０度から２７０度の範囲であり、さらに好ましくは、１３５度から２２５度の範囲である。角度θがこの範囲内にあれば、繊維状物質は舌部１０に引っかかることなく、吐出口４を通って外部に排出される。
【００２９】
図１４は、図１に示した渦巻ポンプの羽根車１の斜視図である。図１４に示されるように、羽根車１は、回転軸１１が固定されるハブ１３を有する円板状のシュラウド１２と、ハブ１３から螺旋状に延びる後退翼２と、を有する。ハブ１３には、回転軸１１の端部が挿入される貫通孔１３ａが形成されている。後退翼２の全体は、ハブ１３から羽根車１の回転方向と逆方向に延びる螺旋形状を有している。
【００３０】
後退翼２は、ハブ１３から螺旋状に延びる前縁部２ａと、前縁部２ａから螺旋状に延びる後縁部２ｂを有する。前縁部２ａは、ハブ１３から羽根車１の回転方向と逆方向に延びている。したがって、前縁部２ａの外端２ｄは、回転軸１１の回転方向において、前縁部２ａの内端２ｃよりも後方に位置される。後縁部２ｂは、ケーシングライナ８の内面８ａと僅かな隙間をあけて対向している。羽根車１が回転したときに、前縁部２ａの外端２ｄは、溝１８の入口１８ａ（図１５参照）を横切って移動する。図１５は図１に示した渦巻ポンプのケーシングライナの断面図である。
【００３１】
図１６は、図１４に示した後退翼２の前縁部２ａのＣ−Ｃ線断面図である。図１７は、図１４に示した後退翼２の前縁部２ａのＤ−Ｄ線断面図である。図１８は、図１４に示した後退翼２の前縁部２ａのＥ−Ｅ線断面図である。図１６、図１７、および図１８に示されるように、前縁部２ａは、該前縁部２ａの内端２ｃから外端２ｄにわたって形成される前側曲面２ｅを有する。前側曲面２ｅは、前縁部２ａの最も前側の表面である。すなわち、前側曲面２ｅは、前縁部２ａの回転方向（すなわち、羽根車１の回転方向）において最も前側に位置する、前縁部２ａの表面であり、前縁部２ａの内端２ｃから外端２ｄにわたって形成される。
【００３２】
前側曲面２ｅの断面は、曲率半径ｒ１の円弧である。本実施形態では、曲率半径ｒ１は、図１６、図１７、および図１８に示されるように、前縁部２ａの内端２ｃから外端２ｄにわたって一定である。前側曲面２ｅの曲率半径ｒ１は、前縁部２ａの内端２ｃから外端２ｄにわたって異なっていてもよい。例えば、前側曲面２ｅの曲率半径ｒ１は、ハブ１３からの距離に従って徐々に大きくなってもよいし、徐々に小さくなってもよい。
【００３３】
前縁部２ａは、その内端２ｃから外端２ｄにわたって形成される前側曲面２ｅを有しているので、図１９（ａ）に示されるように、前縁部２ａ上に載った繊維状物質９は、図１９（ｂ）に示されるように、前縁部２ａに引っかかることなく、円滑に前縁部２ａの外端２ｄに向かって移動し、図１９（ｃ）に示されるように、前縁部２ａの外端２ｄに到達する。したがって、前縁部２ａは、繊維状物質９を、溝１８の入口１８ａ（図１５参照）まで円滑に導くことができる。
【００３４】
図２０は、前縁部２ａの外端２ｄまで導かれた繊維状物質９が前側曲面２ｅによって溝１８に押し込まれる状態を示す模式図である。上述したように、羽根車１が回転したときに、後退翼２の前縁部２ａの外端２ｄは、ケーシングライナ８の内面８ａに形成された溝１８（図１５および図４参照）を通過する。図２０に示されるように、外端２ｄまで導かれた繊維状物質９は、該外端２ｄが溝１８上方を通過する時に、前側曲面２ｅによって溝１８に押し込まれる。前側曲面２ｅは、前縁部２ａの外端２ｄまで形成されているので、繊維状物質９は、前縁部２ａの外端２ｄに引っかかることなく、前側曲面２ｅによって溝１８に押し込まれる。その結果、繊維状物質９を溝１８内に確実に移動させることができる。
【００３５】
図１６、図１７、および図１８に示されるように、前縁部２ａは、該前縁部２ａの内端２ｃから外端２ｄにわたって形成される後側曲面２ｆを有してもよい。後側曲面２ｆは、前縁部２ａの最も後側の面である。すなわち、後側曲面２ｆは、前縁部２ａの回転方向（すなわち、羽根車１の回転方向）において最も後側に位置する、前縁部２ａの表面であり、羽根車１の回転方向において前側曲面２ｅよりも後方に位置している。後側曲面２ｆは、前側曲面２ｅと同様に、前縁部２ａの内端２ｃから外端２ｄにわたって形成される。
【００３６】
後側曲面２ｆの断面は、曲率半径ｒ２の円弧である。本実施形態では、曲率半径ｒ２は、図１６、図１７、および図１８に示されるように、前縁部２ａの内端２ｃから外端２ｄにわたって一定である。後側曲面２ｆの曲率半径ｒ２は、前側曲面２ｅの曲率半径ｒ１と同じであってもよいし、異なっていてもよい。さらに、後側曲面２ｆの曲率半径ｒ２は、前縁部２ａの内端２ｃから外端２ｄにわたって異なっていてもよい。例えば、後側曲面２ｆの曲率半径ｒ２は、ハブ１３からの距離に従って徐々に大きくなってもよいし、徐々に小さくなってもよい。
【００３７】
前縁部２ａが前側曲面２ｅだけでなく後側曲面２ｆも有している場合、繊維状物質９をより円滑に前縁部２ａ上で滑らせることができる。その結果、前縁部２ａは、繊維状物質９を前縁部２ａの外端２ｄにまで円滑に導くことができる。さらに、繊維状物質９は、前縁部２ａの外端２ｄに引っかかりにくくなる。その結果、前縁部２ａの前側曲面２ｅは、繊維状物質９を溝１８の入口１８ａ（図１５参照）により確実に押し込むことができる。
【００３８】
上述したように、羽根車１の回転に伴って、前側曲面２ｅ上の繊維状物質９は、前縁部２ａの外端２ｄに向かって滑る。前縁部２ａの厚さｔ（図１６、図１７、および図１８参照）に対する前側曲面２ｅの曲率半径ｒ１の比（すなわち、ｒ１／ｔ）が小さくなるほど、前縁部２ａは尖っていく。ｒ１／ｔが１／７以上のときに、前縁部２ａに載った繊維状物質９を、前縁部２ａの外端２ｄに向かってより円滑に導き、かつ溝１８により確実に押し込むことができることが確認されている。したがって、ｒ１／ｔは、好ましくは、１／７以上である。
【００３９】
ｒ１／ｔが、大きくなるほど、渦巻ポンプの吐出性能は低下する。渦巻ポンプの吐出性能の低下を抑制しつつ、繊維状物質９を円滑に前縁部２ａの外端２ｄに滑らせるためのｒ１／ｔの最適値は１／４である。したがって、ｒ１／ｔが１／４以上であるのがより好ましい。
【００４０】
図２１は、前縁部２ａの厚さｔに対する前側曲面２ｅの曲率半径ｒ１の比（ｒ１／ｔ）と、前縁部２ａの厚さｔに対する後側曲面２ｆの曲率半径ｒ２の比（ｒ２／ｔ）が１／２であり、前側曲面２ｅが後側曲面２ｆに接続されている前縁部２ａの断面図である。図２１に示されるように、ｒ１／ｔおよびｒ２／ｔが１／２であり、前側曲面２ｅが後側曲面２ｆに接続されている場合、前縁部２ａの断面は完全な円弧となる。この場合、前縁部２ａが最も丸められた形状を有するので、繊維状物質９は、より円滑に前縁部２ａ上を外端２ｄに向かって滑ることができる。したがって、ｒ１／ｔは、１／２以下であるのが好ましい。
【００４１】
図１６、図１７、および図１８に示されるように、前縁部２ａの厚さｔは、ハブ１３からの距離に従って徐々に減少している。一方で、前側曲面２ｅの曲率半径ｒ１と、後側曲面２ｆの曲率半径ｒ２は、前縁部２ａの内端２ｃから外端２ｄまで一定である。したがって、ｒ１／ｔおよびｒ２／ｔは、ハブ１３からの距離に従って徐々に大きくなる。このような構成によれば、渦巻ポンプの吐出性能の低下を抑えつつ、前縁部２ａは、繊維状物質９を、溝１８の入口１８ａ（図１５参照）に向かって円滑に導くことができる。
【００４２】
上述した実施形態は、本発明が属する技術分野における通常の知識を有する者が本発明を実施できることを目的として記載されたものである。上記実施形態の種々の変形例は、当業者であれば当然になしうることであり、本発明の技術的思想は他の実施形態にも適用しうることである。したがって、本発明は、記載された実施形態に限定されることはなく、特許請求の範囲によって定義される技術的思想に従った最も広い範囲とすべきである。
【産業上の利用可能性】
【００４３】
本発明は、繊維状物質を含む液体を移送する渦巻ポンプに利用可能である。
【符号の説明】
【００４４】
１，１００      羽根車
２，１０１      後退翼
２ａ，１０１ａ      前縁部
２ｂ，１０１ｂ      後縁部
２ｃ      内端
２ｄ      外端
２ｅ      前側曲面
２ｆ      後側曲面
３，１０６      吸込口
４，１０７      吐出口
５，１０５      羽根車ケーシング
６        ケーシング本体
７，１１３      ボリュート室
８        ケーシングライナ
９，１０９      繊維状物質
１０，１１０    舌部
１１，１０２      回転軸
１２      シュラウド
１３      ハブ
１８，１０８      溝
２０      モータ
２１      メカニカルシール
ＲＬ      基準線
ＡＬ      角度線
Ｐ        羽根車の中心点
【図１】
0006706521.tif 000002
【図２】
0006706521.tif 000003
【図３】
0006706521.tif 000004
【図４】
0006706521.tif 000005
【図５】
0006706521.tif 000006
【図６】
0006706521.tif 000007
【図７】
0006706521.tif 000008
【図８】
0006706521.tif 000009
【図９】
0006706521.tif 000010
【図１０】
0006706521.tif 000011
【図１１】
0006706521.tif 000012
【図１２】
0006706521.tif 000013
【図１３】
0006706521.tif 000014
【図１４】
0006706521.tif 000015
【図１５】
0006706521.tif 000016
【図１６】
0006706521.tif 000017
【図１７】
0006706521.tif 000018
【図１８】
0006706521.tif 000019
【図１９】
0006706521.tif 000020
【図２０】
0006706521.tif 000021
【図２１】
0006706521.tif 000022
【図２２】
0006706521.tif 000023
【図２３】
0006706521.tif 000024
【図２４】
0006706521.tif 000025
【図２５】
0006706521.tif 000026
【図２６】
0006706521.tif 000027
【図２７】
0006706521.tif 000028
【図２８】
0006706521.tif 000029
【図２９】
0006706521.tif 000030
【図３０】
0006706521.tif 000031